(57)【要約】      （修正有）【課題】収納と組立が便利なバスケットの改良構造を提供する。【解決手段】一種のバスケット改良構造、主に布製の一つのバスケット本体１、一つの架台、および一つの噛み合わせ台より構成する、そのうち、バスケット１００本体開口部内面に噛み合わせ台を覆うためのフックループファスナーを設け、架台の両側に湾曲形状のフック２３を設ける、その噛み合わせ台に回転可能な掛け金３３を設け、架台をバスケット本体内側の底部に収納する、使用しないとき、噛み合わせ台を平ら状に畳んで収納できる、使用するときは、噛み合わせ台の掛け金を下部架台のフックに噛み合わせておく、バスケット本体を広げてから架台に底板４を敷いて、物を入れる。【選択図】図４
0003119975.tif 000002
【実用新案登録請求の範囲】
【請求項１】
一つのバスケット本体、その開口部に適切な間隔を置いたフックループファスナーを設け、架台、一つのフレーム部を設け、フレーム部の上方に複数の棒部材を設けて、棒部材両側はフレーム部に沿って下から上に湾曲形状により、複数本フックを構成する。一つの噛み合わせ台、一つのフレーム部を設け、フレーム部側面にブッシングを設けて、２本の掛け金をそのブッシングを通過して、回転可能な状態にしておく、前述部品の組合せにより、噛み合わせ台はバスケット本体底部のフックループファスナーにより開口部に覆われて、バスケットを構成する。使用しないとき、２本の掛け金は平ら形状に畳んだ後、容易に収納、携帯できる；使用するとき、掛け金を下方に押さえて、架台のフックにかみ合わせて、バスケット本体を固定した後、物を入れることを実現することを特徴とする、バスケット改良構造。
【考案の詳細な説明】
【技術分野】
【０００１】
本考案は一種のバスケット改良構造、特に収納と組立てが便利のバスケット構造に関する。
【背景技術】
【０００２】
家庭、売場などの物置バスケットは一般として、プラスチックまたは布製である、そのうち、プラスチック・バスケットは折り畳むことができないため、使用しないとき、多くの空間が必要なので、非常にやっかいである、一方、布製バスケットの一部は折り畳むことできるが、その折り畳みと組立て操作が複雑であり、平ら形状に折り畳むことができないことから、欠点を残っている。
【考案の開示】
【考案が解決しようとする課題】
【０００３】
本考案の主な目的は、一種のバスケット改良構造を提供し、使用しないとき、バスケットを平ら形状に折り畳んでおき、収納に適合する、使用するとき、利用者は簡単操作により、組み立てできるため、バスケットの実用価値を向上できる。
【課題を解決するための手段】
【０００４】
前述のバスケット構造は、一つの布製バスケット本体、一つの架台、および一つの噛み合わせ台より構成する、そのうち、バスケット本体開口部の内面に噛み合わせ台を覆うためのフックループファスナーを設け、架台の両側にフックを設ける、その噛み合わせ台に回転可能な掛け金を設け、架台をバスケット本体内側の底部に収納する、使用しないとき、噛み合わせ台を平ら状に畳んで収納できる、使用するときは、バスケット本体を開いて、噛み合わせ台の掛け金を下部架台のフックに噛み合わせて、バスケット本体を広げて固定した上、物を入れることができる。
【０００５】
請求項１の考案は、一つのバスケット本体、その開口部に適切な間隔を置いたフックループファスナーを設け、架台、一つのフレーム部を設け、フレーム部の上方に複数の棒部材を設けて、棒部材両側はフレーム部に沿って下から上に湾曲形状により、複数本フックを構成する。一つの噛み合わせ台、一つのフレーム部を設け、フレーム部側面にブッシングを設けて、２本の掛け金をそのブッシングを通過して、回転可能な状態にしておく、前述部品の組合せにより、噛み合わせ台はバスケット本体底部のフックループファスナーにより開口部に覆われて、バスケットを構成する。使用しないとき、２本の掛け金は平ら形状に畳んだ後、容易に収納、携帯できる；使用するとき、掛け金を下方に押さえて、架台のフックにかみ合わせて、バスケット本体を固定した後、物を入れることを実現することを特徴とする、バスケット改良構造。
【考案の効果】
【０００６】
前述のバスケット構造において、その架台はフレーム部であり、フレーム部に複数本の棒部材を設け、棒部材両端はフレーム部側面に沿って下から上に湾曲形状により、噛み合わせ棒の掛け金を構成する。
【考案を実施するための最良の形態】
【０００７】
図１に示すとおり、本考案は一つの布製バスケット本体１、一つの架台２、および一つの噛み合わせ台３より構成する、そのうち、バスケット本体１開口部の内面に適切な間隔を置いたフックループファスナー１１、１２を設ける。
【０００８】
架台２にフレーム部２１を設け、フレーム部２１上方に複数本の棒部材２２を設ける、棒部材２２両側はフレーム部２１に沿って下から上の湾曲形状により、複数本のフック２３を構成する。
【０００９】
噛み合わせ台３にフレーム部３１を設け、フレーム部３１側面にブッシング３２を設けて、２本の掛け金３３はそのブッシング３２を通して、２本の掛け金３３を回転できるようにする。
【００１０】
前述の部材を組合せにより、架台２はバスケット本体１の内側底部に敷く、噛み合わせ台３はバスケット本体１のフックループファスナー１１、１２により開口部を覆って、一つのバスケット１００を構成する、使用しないとき、２本の掛け金３３を回転して平ら形状に畳んでおき、バスケット本体１を平ら形状にして収納できる、使用するときは、バスケット本体１を広げて、掛け金３３をそれぞれ下方に押さえて、架台２のフック２３にかみ合わせて、バスケット本体１を広げて固定して、物を入れることができる。
【００１１】
図２、３に示すとおり、本考案は使用しないとき、噛み合わせ台２本の掛け金３３は平ら形状に畳んだ状態である、バスケット本体１は材質により平ら形状に畳むことができるため、空間を取ることなく携帯、収納できる、さらに複数のバスケット１００は互いに畳んだ後、搬送または売場に展示できる、使用するとき、バスケット本体１を引き起こした上、２本の掛け金３３を下方に押さえて、バスケット本体１両側を架台２のフック２３によりバスケット本体１を広げて固定した後、バスケット本体１に様々なもの入れることができる。
【００１２】
図４、５に示すとおり、掛け金３３を架台２のフック２３に噛み合わせた後、バスケット本体１全体は外側に広げて固定した後、バスケット本体１内部に底板４を敷いて、物をバスケット本体１内部にいれる、さらに、掛け金３３は架台２のフック２３に噛み合わせるため、バスケット本体１は確実に広げて、崩れることがない。
【００１３】
以上に説明したとおり、本考案はバスケット本体に架台および回転可能な掛け金の組合せにより、バスケットの収納および組立てが容易にできる。
【図面の簡単な説明】
【００１４】
【図１】本考案の立体分解図である。
【図２】本考案の折り畳み図である。
【図３】本考案の組立て図である。
【図４】本考案バスケット組立て完成後の立体図である。
【図５】本考案の断面図である。
【符号の説明】
【００１５】
１  バスケット本体
２  架台
３  噛み合わせ台
４  底板
１１  フックファスナー
１２  ループファスナー
２１  フレーム部
２２  棒部材
２３  フック
３１  フレーム部
３２  ブッシング
３３  掛け金
１００  バスケット
【図１】
0003119975.tif 000003
【図２】
0003119975.tif 000004
【図３】
0003119975.tif 000005
【図４】
0003119975.tif 000006
【図５】
0003119975.tif 000007
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
一つのバスケット本体、その開口部に適切な間隔を置いたフックループファスナーを設け、架台、一つのフレーム部を設け、フレーム部の上方に複数の棒部材を設けて、棒部材両側はフレーム部に沿って下から上に湾曲形状により、複数本フックを構成する、一つの噛み合わせ台、一つのフレーム部を設け、フレーム部側面にブッシングを設けて、２本の掛け金をそのブッシングを通過して、回転可能な状態にしておく、前述部品の組合せにより、噛み合わせ台はバスケット本体底部のフックループファスナーにより開口部に覆われて、バスケットを構成する、使用しないとき、２本の掛け金は平ら形状に畳んだ後、容易に収納、携帯できる、使用するとき、掛け金を下方に押さえて、架台のフックにかみ合わせて、バスケット本体を固定した後、物を入れることを実現することを特徴とする、バスケット改良構造。
【手続補正２】
【補正対象書類名】明細書
【補正対象項目名】０００５
【補正方法】変更
【補正の内容】
【０００５】
請求項１の考案は、一つのバスケット本体、その開口部に適切な間隔を置いたフックループファスナーを設け、架台、一つのフレーム部を設け、フレーム部の上方に複数の棒部材を設けて、棒部材両側はフレーム部に沿って下から上に湾曲形状により、複数本フックを構成する、一つの噛み合わせ台、一つのフレーム部を設け、フレーム部側面にブッシングを設けて、２本の掛け金をそのブッシングを通過して、回転可能な状態にしておく、前述部品の組合せにより、噛み合わせ台はバスケット本体底部のフックループファスナーにより開口部に覆われて、バスケットを構成する、使用しないとき、２本の掛け金は平ら形状に畳んだ後、容易に収納、携帯できる、使用するとき、掛け金を下方に押さえて、架台のフックにかみ合わせて、バスケット本体を固定した後、物を入れることを実現することを特徴とする、バスケット改良構造。